(57)【要約】【課題】常に最上段の仮設足場の一つ上に先送りしながら仮設足場の組立てる手摺り先行工法に使用する先行手摺りを提供する。【解決手段】先行手摺り１０は、対向する外支柱１２、１３の１８０度位置に設けられた掛止金具１４、１５に先側が上から嵌入する挿入部１６、１７をそれぞれ備えた第１、第２の鉤状金具１８、１９が両側にそれぞれ設けられた水平部材２０と、第１、第２の鉤状金具１８、１９の基部にそれぞれ回動自在に取付けられた第１、第２の連結金具２１、２２と、第１、第２の連結金具２１、２２に上端部がそれぞれ一体に固着された第１、第２の筋交い部材２３、２４と、第１、第２の筋交い部材２３、２４の下端部にそれぞれ一体的に固着され、掛止金具１４、１５の下位置にある下側の掛止金具２５、２６に装着固定される第１、第２の取付け金具２７、２８とを有する。【選択図】図１
2012197609.tif 000002
【特許請求の範囲】
【請求項１】
建物の外側に設けられる仮設足場を支持し、上下方向に所定間隔で設けられた掛止金具群を備える支柱のうち前記建物の外側に対向配置された外支柱に取付けられる筋交いも兼用した先行手摺りであって、
前記掛止金具群は前記支柱を軸心として０度、９０度、１８０度、及び２７０度位置に設けられ平断面コ字状の掛止金具を有し、前記０度位置と前記１８０度位置にある前記掛止金具と、前記９０度及び前記２７０度位置にある前記掛止金具の高さが異なり、
対向する前記外支柱の１８０度位置に設けられた前記掛止金具に先側が上から嵌入する挿入部をそれぞれ備えた第１、第２の鉤状金具が両側にそれぞれ設けられた水平部材と、
前記第１、第２の鉤状金具の基部にそれぞれ回動自在に取付けられた第１、第２の連結金具と、
前記第１、第２の連結金具に上端部がそれぞれ一体に固着された第１、第２の筋交い部材と、
前記第１、第２の筋交い部材の下端部にそれぞれ一体的に固着され、前記１８０度位置にある掛止金具の下位置にあって、前記１８０度位置にある下側の掛止金具に装着固定される第１、第２の取付け金具とを有し、
前記第１、第２の連結金具は、前記第１、第２の鉤状金具が前記１８０度位置にある掛止金具に装着した状態で、取付け状態に前記第１、第２の筋交い部材を配置することによって、前記１８０度位置にある掛止金具から前記第１、第２の鉤状金具の抜け止めとなる爪部をそれぞれ有することを特徴とする先行手摺り。
【請求項２】
請求項１記載の先行手摺りにおいて、前記第１、第２の取付け金具は、鉄板を平面視してコ字状に折り曲げて形成され、中間部には前記下側の掛止金具が嵌入する開口部を備え、前記開口部に前記下側の掛止金具を挿入した状態で、上下のコ字状折り曲げ部及び前記下側の掛止金具の間に装着される楔部を有するストッパ片によって前記下側の掛止金具に固定されることを特徴とする先行手摺り。
【請求項３】
請求項２記載の先行手摺りにおいて、前記ストッパ片はＵ字状となって、一方に前記楔部が他方に抜け止め部が形成され、前記第１、第２の取付け金具には、前記ストッパ片のＵ字溝に嵌入する第１のピンと、該ストッパ片を前記下側の掛止金具から外す場合に、前記抜け止め部の掛止爪が引っかかる第２のピンが設けられていることを特徴とする先行手摺り。
【請求項４】
請求項１〜３のいずれか１項に記載の先行手摺りにおいて、前記第１、第２の連結金具には、前記第１、第２の鉤状金具が前記１８０度位置にある掛止金具に装着した状態で、取付け状態に前記第１、第２の筋交い部材を配置することによって、前記１８０度位置にある掛止金具を外方から当接又は近接するガタ止め部を有していることを特徴とする先行手摺り。
【請求項５】
請求項４記載の先行手摺りにおいて、前記第１、第２の連結金具はコ字状となって、コ字状の折曲げ連結部に前記第１、第２の筋交い部材の上端部が固着され、前記折り曲げ連結部の両側に連接する対となる側片部の間に前記第１、第２の鉤状金具の基部がそれぞれ挿入されピン又はボルトを介して回動可能に連結され、前記爪部と前記ガタ止め部は前記対となる側片部の先部両側にそれぞれ突出して設けられていることを特徴とする先行手摺り。
【発明の詳細な説明】
【技術分野】
【０００１】
本発明は、仮設足場に使用する筋交い部材を備えた先送り方式の手摺り先行工法に用いられる先行手摺りに関する。
【背景技術】
【０００２】
建設現場等で使用される仮設足場の組立てにおいては、上段の仮設足場を設置する際に、上段の仮設足場の設置に先行して下段の仮設足場から手摺りを取付ける手摺り先行工法が採用されており、種々の先行手摺りが提案されている（例えば、特許文献１〜３参照）。
【先行技術文献】
【特許文献】
【０００３】
【特許文献１】特開２０１０−１９０００１号公報
【特許文献２】特開２０１０−１３８６７１号公報
【特許文献３】特開２００９−１５０１９７号公報
【発明の概要】
【発明が解決しようとする課題】
【０００４】
ここで、特許文献１〜３に記載の先行手摺りを使用した場合、先行手摺りは、上段の仮設足場を構成する部材の一つとして仮設足場に組込まれる（据え置かれる）ため、仮設足場の組立てに際しては、多数の先行手摺りを準備しなければならないという問題がある。また、先行手摺りは、最上段の仮設足場の位置から更に上方の支柱に容易に取付けることができると共に筋交いの機能も備えているので構造が複雑になっており、先行手摺りは一般の手摺りや筋交いと比べて、取扱、運搬が煩雑になると共に、高価であるという問題がある。このため、先行手摺りの使用量が多くなると、仮設足場の組立てコストが増大するという問題が生じる。
【０００５】
本発明はかかる事情に鑑みてなされたもので、常に最上段の仮設足場の一つ上に先送りしながら仮設足場の組立てる手摺り先行工法に使用可能な先行手摺りを提供することを目的とする。
【課題を解決するための手段】
【０００６】
前記目的に沿う本発明に係る先行手摺りは、建物の外側に設けられる仮設足場を支持し、上下方向に所定間隔で設けられた掛止金具群を備える支柱のうち前記建物の外側に対向配置された外支柱に取付けられる筋交いも兼用した先行手摺りであって、
前記掛止金具群は前記支柱を軸心として０度、９０度、１８０度、及び２７０度位置に設けられ平断面コ字状の掛止金具を有し、前記０度位置と前記１８０度位置にある前記掛止金具と、前記９０度及び前記２７０度位置にある前記掛止金具の高さが異なり、
対向する前記外支柱の１８０度位置に設けられた前記掛止金具に先側が上から嵌入する挿入部をそれぞれ備えた第１、第２の鉤状金具が両側にそれぞれ設けられた水平部材と、
前記第１、第２の鉤状金具の基部にそれぞれ回動自在に取付けられた第１、第２の連結金具と、
前記第１、第２の連結金具に上端部がそれぞれ一体に固着された第１、第２の筋交い部材と、
前記第１、第２の筋交い部材の下端部にそれぞれ一体的に固着され、前記１８０度位置にある掛止金具の下位置にあって、前記１８０度位置にある下側の掛止金具に装着固定される第１、第２の取付け金具とを有し、
前記第１、第２の連結金具は、前記第１、第２の鉤状金具が前記１８０度位置にある掛止金具に装着した状態で、取付け状態に前記第１、第２の筋交い部材を配置することによって、前記１８０度位置にある掛止金具から前記第１、第２の鉤状金具の抜け止めとなる爪部をそれぞれ有している。
【０００７】
本発明に係る先行手摺りにおいて、前記第１、第２の取付け金具は、鉄板を平面視してコ字状に折り曲げて形成され、中間部には前記下側の掛止金具が嵌入する開口部を備え、前記開口部に前記下側の掛止金具を挿入した状態で、上下のコ字状折り曲げ部及び前記下側の掛止金具の間に装着される楔部を有するストッパ片によって前記下側の掛止金具に固定されることが好ましい。
【０００８】
本発明に係る先行手摺りにおいて、前記ストッパ片はＵ字状となって、一方に前記楔部が他方に抜け止め部が形成され、前記第１、第２の取付け金具には、前記ストッパ片のＵ字溝に嵌入する第１のピンと、該ストッパ片を前記下側の掛止金具から外す場合に、前記抜け止め部の掛止爪が引っかかる第２のピンが設けられていることが好ましい。
【０００９】
本発明に係る先行手摺りにおいて、前記第１、第２の連結金具には、前記第１、第２の鉤状金具が前記１８０度位置にある掛止金具に装着した状態で、取付け状態に前記第１、第２の筋交い部材を配置することによって、前記１８０度位置にある掛止金具を外方から当接又は近接するガタ止め部を有していることが好ましい。
【００１０】
本発明に係る先行手摺りにおいて、前記第１、第２の連結金具はコ字状となって、コ字状の折曲げ連結部に前記第１、第２の筋交い部材の上端部が固着され、前記折り曲げ連結部の両側に連接する対となる側片部の間に前記第１、第２の鉤状金具の基部がそれぞれ挿入されピン又はボルトを介して回動可能に連結され、前記爪部と前記ガタ止め部は前記対となる側片部の先部両側にそれぞれ突出して設けられていることが好ましい。
【発明の効果】
【００１１】
本発明に係る先行手摺りにおいては、対向する外支柱の１８０度位置に設けられた掛止金具を用いて水平部材を掛止し、対向する外支柱の水平部材が掛止された掛止金具の下位置にそれぞれある下側の掛止金具に第１、第２の取付け金具を装着固定することにより、対向する外支柱に先行手摺りが取付けられるので、次の最上段の仮説足場が設けられた後に、水平部材が掛止された掛止金具に近接する外支柱の９０度位置及び２７０度位置で同一高さ位置にある掛止金具を用いて先行手摺りとは別の手摺り材を後から取付けることができ、更に筋交い材も対向する外支柱の使用されていない掛止金具を用いてに新たに取付けることができる。このため、先に取付けた先行手摺りを対向する外支柱から取外すことができ、取外した先行手摺りを更に一つ上の仮設足場位置に持上げて、外支柱に再び取付けることができる。その結果、仮設足場の組立てが完了すると、先行手摺りは最上段の仮設足場にだけ組み込まれることになって、使用する先行手摺りの個数を少なくすることができ、仮設足場の組立てコストを低減することができる。
【００１２】
また、第１、第２の連結金具は、第１、第２の鉤状金具が１８０度位置にある掛止金具に装着した状態で、取付け状態に第１、第２の筋交い部材を配置することによって、１８０度位置にある掛止金具から第１、第２の鉤状金具の抜け止めとなる爪部をそれぞれ有するので、掛止金具に嵌入した挿入部が上方に移動して抜けるのを防止できる。その結果、外支柱に水平部材を安定して固定することができる。
一方、水平部材を外支柱から取外す場合、第１、第２の取付け金具を下側の掛止金具から離脱させると、爪部による第１、第２の鉤状金具の抜け止め作用が喪失し、挿入部を掛止金具から引き出すことができる。これにより、第１、第２の取付け金具の下側の掛止金具からの離脱と、挿入部の掛止金具からの離脱を連続して行うことができ、先行手摺りの支柱からの取外しを効率的に行うことができる。
【００１３】
本発明に係る先行手摺りにおいて、第１、第２の取付け金具が、鉄板を平面視してコ字状に折り曲げて形成され、中間部には下側の掛止金具が嵌入する開口部を備え、開口部に下側の掛止金具を挿入した状態で、上下のコ字状折り曲げ部及び下側の掛止金具の間に装着される楔部を有するストッパ片によって下側の掛止金具に固定される場合、第１、第２の取付け金具を簡便かつ安価に作製することができ、かつ第１、第２の取付け金具（筋交い部材）の下側の掛止金具への取付け、取外しを容易に行うことができる。
【００１４】
本発明に係る先行手摺りにおいて、ストッパ片はＵ字状となって、一方に楔部が他方に抜け止め部が形成され、第１、第２の取付け金具には、ストッパ片のＵ字溝に嵌入する第１のピンと、ストッパ片を掛止金具から外す際に、抜け止め部の掛止爪が引っかかる第２のピンが設けられている場合、第１、第２の取付け金具（筋交い部材）を下側の掛止金具に安定して固定することができる。
【００１５】
本発明に係る先行手摺りにおいて、第１、第２の連結金具が、第１、第２の鉤状金具が１８０度位置にある掛止金具に装着した状態で、取付け状態に第１、第２の筋交い部材を配置することによって、１８０度位置にある掛止金具を外方から当接又は近接するガタ止め部を有している場合、掛止金具に嵌入した挿入部が水平方向に移動することを防止できる。
【００１６】
本発明に係る先行手摺りにおいて、第１、第２の連結金具はコ字状となって、コ字状の折曲げ連結部に第１、第２の筋交い部材の上端部が固着され、折り曲げ連結部の両側に連接する対となる側片部の間に第１、第２の鉤状金具の基部がそれぞれ挿入されピン又はボルトを介して回動可能に連結され、爪部とガタ止め部が対となる側片部の先部両側にそれぞれ突出して設けられている場合、取付け状態に第１、第２の筋交い部材を配置した際、１８０度位置にある掛止金具の下端の下方に爪部を、この掛止金具の外方にガタ止め部をそれぞれ配置することができる。
【図面の簡単な説明】
【００１７】
【図１】本発明の一実施の形態に係る先行手摺りを対向する外支柱に取付けた際の正面図である。
【図２】挿入部を掛止金具に上方から嵌入した際の説明図である。
【図３】第１の鉤状金具を掛止金具に装着固定した際の説明図である。
【図４】（Ａ）は第１の鉤状金具に取付けられた第１の連結金具の側面図、（Ｂ）は（Ａ）のＰ−Ｐ矢視図である。
【図５】（Ａ）は第１の鉤状金具に対して第１の連結金具を回動させた際の側面図、（Ｂ）は（Ａ）のＱ−Ｑ矢視図である。
【図６】（Ａ）、（Ｂ）はそれぞれ第１、第２の取付け金具の正面図、平面図である。
【図７】第１の取付け金具の開口部に掛止金具を嵌入した際の説明図である。
【図８】第１の取付け金具を掛止金具に装着固定した際の説明図である。
【発明を実施するための形態】
【００１８】
続いて、添付した図面を参照しつつ、本発明を具体化した実施の形態につき説明し、本発明の理解に供する。
図１に示すように、本発明の一実施の形態に係る先行手摺り１０は、図示しない建物の外側に設けられる仮設足場１１を支持し、上下方向に所定間隔で設けられた掛止金具群を備える支柱（例えば鉄製のパイプ材から形成されている）のうち建物の外側に対向配置された外支柱１２、１３に取付けられる筋交いも兼用した先行手摺りである。ここで、掛止金具群は、支柱を軸心として０度、９０度、１８０度、及び２７０度位置にそれぞれ設けられた平断面コ字状の掛止金具を有し、０度位置と１８０度位置にある掛止金具と、９０度及び２７０度位置にある掛止金具の高さは異なっている。以下、詳細に説明する。
【００１９】
図１に示すように、本発明の一実施の形態に係る先行手摺り１０は、外支柱１２の１８０度位置に設けられた掛止金具１４に先側が上から嵌入する挿入部１６を備えた第１の鉤状金具１８と、外支柱１３の１８０度位置に設けられた掛止金具１５に先側が上から嵌入する挿入部１７を備えた第２の鉤状金具１９が両側にそれぞれ設けられた水平部材２０と、
第１、第２の鉤状金具１８、１９の基部にそれぞれ回動自在に取付けられた第１、第２の連結金具２１、２２と、第１、第２の連結金具２１、２２に上端部がそれぞれ一体に固着された第１、第２の筋交い部材２３、２４（例えば鉄製のパイプ材から形成されている）とを有している。
【００２０】
また、先行手摺り１０は、第１、第２の筋交い部材２３、２４の下端部にそれぞれ一体的に固着され、外支柱１３、１２の１８０度位置にある掛止金具１５、１４の下位置にあって、１８０度位置にある下側の掛止金具２５、２６に装着固定される第１、第２の取付け金具２７、２８を有している。ここで、第１、第２の連結金具２１、２２は、第１、第２の鉤状金具１８、１９にそれぞれ、ボルト２９（図２参照）を介して回動自在に取付けられている。なお、符号３０は、ボルト２９の先部に螺合してボルト２９の脱落を防止するナットである。また、第１、第２の連結金具２１、２２は、第１、第２の鉤状金具１８、１９にピンを介して回動自在に取付けることもできる。
【００２１】
更に、第１、第２の連結金具２１、２２には、第１、第２の鉤状金具１８、１９が１８０度位置にある掛止金具１４、１５に装着された状態で、取付け状態に第１、第２の筋交い部材２３、２４を配置する（第１、第２の筋交い部材２３、２４の下端部に取付けた第１、第２の取付け金具２７、２８を掛止金具２５、２６に装着固定する）ことによって、１８０度位置にある掛止金具１４、１５から第１、第２の鉤状金具１８、１９の抜け止めとなる爪部３５をそれぞれ有している。
なお、図２、図３は、第１の鉤状金具１８の掛止金具１４への装着状態を示している。以下、第１の鉤状金具１８について説明するが、第２の鉤状金具１９についても同様である。
【００２２】
図１〜図３に示すように、水平部材２０はパイプ材からなって、水平部材２０の両側をそれぞれ９０度下側に湾曲させた折り曲げ部３１の先側が第１、第２の鉤状金具１８、１９の先部と連結している。このような構成とすることにより、仮設足場の組立てが完了して、先行手摺り１０が最上段の仮設足場にだけ組み込まれた際に、最上段の仮設足場の上面に対する水平部材２０の高さ位置を適性高さ位置（例えば、最上段の仮設足場の上面に対して９００ｍｍ以上の高さ位置）となるようにすることができる。
図２、図４（Ａ）、図５（Ａ）に示すように、第１の鉤状金具１８は、下方の開口したＵ字状であって、一方に挿入部１６が、他方に水平部材２０の折り曲げ部３１の先側が上位置に連結（固着）される取付け部３２が形成されている。
【００２３】
図４（Ｂ）、図５（Ｂ）に示すように、第１の連結金具２１はコ字状となって、コ字状の折曲げ連結部２１ａに第１の筋交い部材２３の上端部が固着され、折り曲げ連結部２１ａの両側に連接する対となる側片部２１ｂ、２１ｃの間に第１の鉤状金具１８の基部が挿入されボルト２９を介して回動可能に連結されている。そして、対となる側片部２１ｂ、２１ｃの先部両側に、側面視して山形状の爪部３５とガタ止め部３４がそれぞれ突出して設けられている。
【００２４】
以上のような構成とすることにより、図２に示すように、挿入部１６を外支柱１２の掛止金具１４に挿し込み、同様に挿入部１７を、外支柱１３の掛止金具１５に挿し込むことにより、図１に示すように、水平部材２０を水平状態で対向配置された外支柱１２、１３に取付けることができる。そして、図３に示すように、第１の鉤状金具１８が１８０度位置にある掛止金具１４に装着して、取付け状態に第１の筋交い部材２３を配置すると、ガタ止め部３４は１８０度位置にある掛止金具１４に対して外方から当接又は近接し、爪部３５は掛止金具１４の下端の下方に（ここでは、掛止金具１４の下方に突出した挿入部１６の先端部に当接又は近接して）配置される。
【００２５】
図６（Ａ）、（Ｂ）に示すように、第１、第２の取付け金具２７、２８は、鉄板を平面視してコ字状に折り曲げて形成され、コ字状の折り曲げ側の中間部には掛止金具２５、２６が嵌入する開口部３６を備えている。また、図７、図８に示すように、コ字状に折り曲げた開口側には、第1、第2の筋交い部材２３、２４の下端部にそれぞれ形成された押し潰し部３７が挿入されて固着されている。
なお、図７、図８は、第１の取付け金具２７の掛止金具２５への装着状態を示している。以下、第１の取付け金具２７について説明するが、第２の取付け金具２８についても同様である。
【００２６】
第１の取付け金具２７は、開口部３６に掛止金具２５を挿入した状態で、掛止金具２５の上下に位置するコ字状折り曲げ部３８、３９及び掛止金具２５の外側板部４０の間に装着される楔部４１を有するストッパ片４２によって掛止金具２５に固定される。ここで、ストッパ片４２はＵ字状となって、一方に楔部４１が他方に抜け止め部４３が形成され、第１の取付け金具２７には、ストッパ片４２のＵ字溝４４に嵌入する第１のピン４５と、ストッパ片４２を掛止金具２５から外す場合に、抜け止め部４３の先部に形成された掛止爪４６が引っかかる第２のピン４７が設けられている。そして、抜け止め部４３の長さは、楔部４１の長さと比較して、先部に形成された掛止爪４６の分だけ長く形成されている。なお、図６において、符号４８、４９はそれぞれ、第１、第２のピン４５、４７が挿通する第１、第２の貫通孔である。また、符号５０は、開口部３６に掛止金具２５が挿入された際に、掛止金具２５の外側板部４０の外周側に当接して第１の取付け金具２７の水平方向のずれを防止するずれ止め部である。
【００２７】
続いて、本発明の一実施の形態に係る先行手摺り１０の作用について説明する。
水平部材２０の両側に固着された第１、第２の鉤状金具１８、１９には、第１、第２の鉤状金具１８、１９に対して回動自在に設けられた第１、第２の連結金具２１、２２を介して第1、第2の筋交い部材２３、２４が取付けられているので、水平部材２０の両側で第1、第2の筋交い部材２３、２４をそれぞれ回動させることができ、先行手摺り１０を折り畳むことができる。このため、先行手摺り１０の保管が容易になる。
【００２８】
また、先行手摺り１０を使用する場合は、水平部材２０の両側で第1、第2の筋交い部材２３、２４をそれぞれ回動させて、第1、第2の筋交い部材２３、２４を開くことができる。これにより、開いた状態の第1、第2の筋交い部材２３、２４を把持して持ち上げることで、先行手摺り１０を上方へ移動することができる。
【００２９】
そして、図２に示すように、第1、第2の筋交い部材２３、２４を水平部材２０に対して下方に向けて垂直状態にすることで、挿入部１６を外支柱１２の掛止金具１４に挿し込み、挿入部１７を外支柱１３の掛止金具１５に挿し込むことができる。これにより、水平部材２０を水平状態で支柱１２、１３に取付けることができる。
【００３０】
次いで、図３に示すように、第１、第２の鉤状金具１８、１９を１８０度位置にある掛止金具１４、１５に装着して、取付け状態に第１、第２の筋交い部材２３、２４を配置すると、ガタ止め部３４は１８０度位置にある掛止金具１４、１５に対して外方から当接又は近接し、爪部３５は掛止金具１４、１５の下端下方に配置される。このため、掛止金具１４、１５に嵌入した挿入部１６、１７が上方に移動しようとすると、挿入部１６、１７と共に上方に移動する第１、第２の鉤状金具１８、１９を介して第１、第２の連結金具２１、２２も上方に移動して、掛止金具１４、１５の下端下方に位置していた爪部３５が上昇して掛止金具１４、１５の下端に当接する。その結果、掛止金具１４、１５に嵌入していた挿入部１６、１７が上方に移動して抜けることが防止される。また、ガタ止め部３４は掛止金具１４、１５に対して外方から当接又は近接する位置に配置されているため、掛止金具１４、１５に嵌入した挿入部１６、１７が水平方向に移動しようとすると、ガタ止め部３４が掛止金具１４、１５に外方から当接することになって、掛止金具１４、１５に嵌入した挿入部１６、１７が水平方向に移動することが防止される。
【００３１】
一方、水平部材２０を外支柱１２、１３から取外す場合、第１、第２の取付け金具２７、２８の掛止金具２５、２６に対する固定を解除した後、第1、第2の筋交い部材２３、２４を回動させると、第１、第２の連結金具２１、２２の先端部に形成されている爪部３５及びガタ止め部３４が掛止金具１４、１５から離れる。これにより、掛止金具１４、１５に嵌入している挿入部１６、１７を掛止金具１４、１５から上方に引き抜くことができる。なお、第1、第2の筋交い部材２３、２４の掛止金具２５、２６からの離脱と、挿入部１６、１７の掛止金具１４、１５からの離脱は一連の連続した作業として行うことができるので、先行手摺り１０の外支柱１２、１３からの取外しを効率的に行うことができる。
【００３２】
第1の筋交い部材２３を第１の取付け金具２７を介して外支柱１３に設けられた掛止金具２５に取付ける場合（第2の筋交い部材２４を第２の取付け金具２８を介して外支柱１２に設けられた掛止金具２６に取付ける場合も同様）、図７に示すように、第１の取付け金具２７の開口部３６に掛止金具２５を挿入し、開口部３６に設けられたずれ止め部５０に掛止金具２５の外側板部４０の外周側を当接させた状態として、ストッパ片４２の抜け止め部４３の先部に形成された掛止爪４６を第１、第２のピン４５、４７の間に配置し、掛止爪４６の上端部を第２のピン４７の側部に当接させながらストッパ片４２を第１の筋交い部材２３側に傾動させると、掛止爪４６は第１、第２のピン４５、４７の間を通過できる。そこで、傾動したストッパ片４２を支柱１３と平行状態にしてから下方に移動させると、ストッパ片４２の楔部４１は上下のコ字状折り曲げ部３８、３９及び掛止金具２５の外側板部４０の間に挿入しながら、ストッパ片４２のＵ字溝４４に第１のピン４５が嵌入して、ストッパ片４２の抜け止め部４３は第１、第２のピン４５、４７の間を挿通する。これにより、第1の筋交い部材２３の掛止金具２５への取付けが完了する。
【００３３】
ここで、ストッパ片４２の楔部４１が第１の取付け金具２７の上下のコ字状折り曲げ部３８、３９及び外支柱１３に設けられた掛止金具２５の外側板部４０の間にそれぞれ挿入された後では、先行手摺り１０の使用中にストッパ片４２を上方に引き抜こうとする力が作用しても、ストッパ片４２の抜け止め部４３に設けられた掛止爪４６が第２のピン４７に掛止されて、ストッパ片４２の引く抜けが防止される。更に、掛止金具２５の外側板部４０が、楔部４１の側部とずれ止め部５０で挟まれた状態になっているため、第１の取付け金具２７が左右方向に移動することが防止される。このため、第1の筋交い部材２３を外支柱１３に安定して固定することができる。
【００３４】
なお、ストッパ片４２を引き抜く場合は、ストッパ片４２を外支柱１３と平行にした状態で上方に移動させて掛止爪４６の上端部を第２のピン４７に当接させる。次いで、掛止爪４６の上端部を第２のピン４７の側部に当接させた状態でストッパ片４２を第1の筋交い部材２３側に傾動させると、掛止爪４６は第１、第２のピン４５、４７の間を通過できる。これにより、ストッパ片４２を引き抜くことができ、第1、第2の筋交い部材２３、２４を外支柱１２、１３から容易に取外すことができる。
【００３５】
以上、本発明を、実施の形態を参照して説明してきたが、本発明は何ら上記した実施の形態に記載した構成に限定されるものではなく、特許請求の範囲に記載されている事項の範囲内で考えられるその他の実施の形態や変形例も含むものである。
更に、本実施の形態とその他の実施の形態や変形例にそれぞれ含まれる構成要素を組合わせたものも、本発明に含まれる。
【符号の説明】
【００３６】
１０：先行手摺り、１１：仮設足場、１２、１３：外支柱、１４、１５：掛止金具、１６、１７：挿入部、１８：第１の鉤状金具、１９：第２の鉤状金具、２０：水平部材、２１：第１の連結金具、２１ａ：折り曲げ連結部、２１ｂ、２１ｃ：側片部、２２：第２の連結金具、２３：第１の筋交い部材、２４：第２の筋交い部材、２５、２６：掛止金具、２７：第１の取付け金具、２８：第２の取付け金具、２９：ボルト、３０：ナット、３１：折り曲げ部、３２：取付け部、３４：ガタ止め部、３５：爪部、３６：開口部、３７：押し潰し部、３８、３９：コ字状折り曲げ部、４０：外側板部、４１：楔部、４２：ストッパ片、４３：抜け止め部、４４：Ｕ字溝、４５：第１のピン、４６：掛止爪、４７：第２のピン、４８：第１の貫通孔、４９：第２の貫通孔、５０：ずれ止め部
【図１】
2012197609.tif 000003
【図２】
2012197609.tif 000004
【図３】
2012197609.tif 000005
【図４】
2012197609.tif 000006
【図５】
2012197609.tif 000007
【図６】
2012197609.tif 000008
【図７】
2012197609.tif 000009
【図８】
2012197609.tif 000010